(57)【要約】【課題】乾燥機といえば固定式で重く、家庭用衣類乾燥やコインランドリーであり、電熱線や都市ガスが熱源であり、高出力で短時間で仕上がるが、高熱による生地の傷みや、収縮を伴うことがあり、また、洗濯機等に比べ高価で運転費用も高い。【解決手段】複数本の連結棒で左右の側板を固定し、左右どちらか一方の側板にモーターを固定し、モーターと連動して回転する着脱可能なドラムを一体とした構造で、ドラムは複数本の連結棒で左右の側板を固定し、連結棒の外周に空間の広いネットを巻き、乾燥ドラム外形とし、自然な熱源である太陽光をネット外形全周でうけ、ドラム内衣類の回転による循環熱源の効率もよく、自然乾燥に十分な効果であり、生地の傷みや、収縮を抑え、熱源費用も不要とする回転ネット乾燥機とする。【選択図】図１
2017153919.tif 000002
【特許請求の範囲】
【請求項１】
複数本の連結棒で左右の側板を固定し、左右のどちらか一方の側板にモーターを固定し、モーターと連動して回転する着脱可能なドラムを一体とした構造で、ドラムは複数本の連結棒で左右の側板を固定し、連結棒の外周にネットを巻き、乾燥ドラム外形とし回転することを特徴とする回転ネット乾燥機。
【請求項２】
前記乾燥ドラムの軸受けを固定とする請求項１記載の回転ネット乾燥機。
【請求項３】
前記乾燥ドラムの回転を乾燥ドラム外形とする請求項１記載の回転ネット乾燥機。
【請求項４】
床面に設置する本体背面に、モーターと連動して回転するドラムを一体としたモーター台を固定し、ドラムは複数本の連結棒で左右の側板を固定し、連結棒の外周にネットを巻き、乾燥ドラム外形とし回転することを特徴とする回転ネット乾燥機。
【請求項５】
複数本の連結棒で左右の側板を固定したドラムの内部を、２カ所以上に分割することを特徴とする乾燥ドラムで請求項１記載の回転ネット乾燥機。
【請求項６】
上部本体に、固定したモーターと連動して回転する軸受け台を固定し、回転板を固定したシャフトを、軸受け台に装着し、回転板外周の吊りネットを乾燥ドラム外形として、回転することを特徴とする回転ネット乾燥機。
【請求項７】
複数本の支持体を固定した枠組み構造とし、床面に設置する装置で、下部に前記請求項１、上部に前記請求項６記載の回転ネット乾燥機を一体としたことを特徴とする回転ネット乾燥機。
【請求項８】
本体に固定した両側板のどちらか一方の側板に固定したモーターと連動して回転する回転体を固定し、ドラムを取り付けたシャフトを回転体に装着し、ドラムは複数本の連結棒で左右の側板を固定し、連結棒の外周にネットを巻き、乾燥ドラム外形とし回転することを特徴とする回転ネット乾燥機。
【発明の詳細な説明】
【技術分野】
【０００１】  本発明は衣類乾燥の電熱線や都市ガスの熱源を使用せず、自然の熱源である太陽光と、熱を回転する乾燥ドラム外形としたネットドラム内に取り込み、衣類は回転しつつ、循環熱源で乾燥する、回転ネット乾燥機に関する。
【背景技術】
【０００２】衣類乾燥機は、洗濯をおえ、脱水もおえた洗濯物を乾燥させるものであり、多くは独立した機械で、熱源は電熱線や都市ガス等で、回転するドラムに熱風を送り洗濯物は回転しつつ熱風によって乾燥される。【０００３】特許文献１においては、従来乾燥機に耐久性及び乾燥性能を図った衣類乾燥を提供することにあることが開示されている。
【先行技術文献】
【特許文献】
【０００４】
【特許文献１】特許第５６４７６３５号
【発明の概要】
【発明が解決しようとする課題】
【０００５】  乾燥機といえば固定式で重く、家庭用衣類乾燥やコインランドリーであり、電熱線や都市ガスが熱源であり、高出力で短時間で仕上がるが、高熱による生地の傷みや、収縮を伴うことがあり、また、洗濯機等に比べ高価であり、毎月の熱量費も高額である。【０００６】  本発明はかかる問題点に鑑みてなされたものであって、電熱線や都市ガスの熱源を熱風として強制乾燥させるのではなく、屋外の自然な熱源である太陽光を乾燥ドラム内に取り込み、さらにモーターで乾燥ドラム内の洗濯物を回転し、自然な循環熱源として、乾燥効率を高める乾燥機で、生地の傷みや、収縮を抑え、熱量費も不要とする回転ネット乾燥機を提供する。
【課題を解決するための手段】
【０００７】  そして、本発明は上記目的を達成するための第１の解決手段として、複数本の連結棒で右左の側板を固定し、左右のどちらか一方の側板にモーターを固定した本体と、モーターと連動して回転する着脱可能なドラムを一体とした回転乾燥機で、ドラムもまた、複数本の連結棒で左右の側板を固定し、シャフトが、左右側板の中心に貫通して固定され、本体側板に固定したモーターと連動してドラムを回転させる。そして、ドラムの連結棒の外周に沿って、空間の広いネットを固定し、乾燥ドラムの外形とし、自然な熱源である太陽光をネット外形全周でうけ、さらに、ネットドラムが回転することで自然な循環熱源として、乾燥に十分な横型回転ネット乾燥機である。【０００８】  また、第２の解決手段は、吊り金具を固定した上部本体に、回転体を内蔵した軸受け台を固定し、洗濯物やネットを取り付ける回転板を固定したシャフトを、軸受け台に装着し、上部本体に固定したモーターと連動し回転する乾燥機で、回転板外周の吊りネットを乾燥ドラム外形とし回転乾燥する。そして、回転板の中央には洗濯物を取り付ける金具が固定され、その外周、及び、上部本体の外周にも吊りネットピンが固定されている、縦型ネット乾燥機である。【０００９】  上記第１の課題解決手段による作用は、モーターにより回転する乾燥ドラムの外周ネットは、洗濯物を支えられる範囲でなるべく空間の広いネットを選択し、細い枠紐以外は全て空間で、受けた自然な熱源である太陽光をロスなく吸収でき、さらに回転による循環熱源を含め、全周むらなく太陽光の恩恵を受け、衣類乾燥に十分な効果であり、また、急な天候不順の対応にも、速やかに乾燥ネットドラムを着脱し、屋内に移動することができ、残る本体も、側板を複数本の連結棒で固定し、側板にネットドラム回転用モーターを固定した構造は複雑とせず、軽量であり屋外から屋内へと自由に移動が可能な回転ネット乾燥機である。【００１０】  また、第２の課題解決手段による作用は、屋外の物干し竿や既存の金具に吊り金具を固定し、回転板が回転できる状態とし、回転板の中央に洗濯物を取り付け、自然の熱源である太陽光が直接あたり、また、回転による風の通りもよく、全周に太陽光の恩恵を直接受けて、乾燥条件は非常によく、外観を気にせず乾燥場所が確保できれば吊りネットを使用しないこともあるが、しかし、道路に面した周辺や庭など、人目を気にして屋外での乾燥をためらう場所でも、吊りネットが乾燥機の外形であり、回転体内の洗濯物の形状がわかりにくく、さらに回転することでより吊りネットは有効であり、また、外形が吊りネットであり中の洗濯物を取り出しにくい状態であり、道路沿い周辺でネットドラムに近い場所であっても、ネット内の洗濯物の紛失を防止できるものとするが、ただ、道路沿い周辺であり、人目につく場所での使用に関して、ネットの空間の大きさやネットの色合い等を考慮して選択することが望ましい。また、必要であれば吊りネット外周の一部にガラス片や色付きで光る反射物を取り付けると、太陽光に反射し、回転による光の移動で乱反射し、ハトや少動物が近づきにくい。【００１１】  上記道路沿い周辺など、一目を気にする場所での吊りネットの乾燥は有効であるが、上部本体に固定し��開閉レールに、吊りネットを取り付け、吊りネットは回転しないものとしてもよく、さらに言えば吊りネットの代わりに、風通しの良い薄い布地のカーテンとしても良く、組み合わせにより、一目をきにせず自然乾燥が出来ればよい。また、急な天候不順への対応には、吊り金具の取り外しが容易であれば、洗濯物を含め、乾燥機全体を屋内に移動することも可能であり、屋外から屋内に移動し、室内いで壁、風呂場などに固定できればそのまま乾燥を継続できるが、回転体の洗濯物だけを回し、室温の空気を循環熱とし自然乾燥は可能であるが、室温にもよるが、温風等の助けがあればより早い乾燥となる。また、室内にあっても一目が気になれば、上部本体の開閉レールに色付き生地等のカーテンを付け、回転板を覆うことができるが、室内にあった配色が望ましく、急な来客にも対応できる。
【発明の効果】
【００１２】  乾燥に必要な熱源と空気の流れを確保するために、乾燥ドラムの外形とするネットは、洗濯物を支えられる範囲で空間の大きいネットを選択し、細い枠紐以外は全て空間で、自然な熱源である太陽光と熱を回転するネット外形全周で受け、ドラム内洗濯物の回転による循環熱源の効率もよく、乾燥に十分な効果であり、生地の傷みや、収縮を抑え、熱源費用も不要とするものであり、自然な太陽光でエコな乾燥を目指す回転ネット乾燥機である。
【図面の簡単な説明】
【００１３】
【図１】本発明の第１実施形態を示す正面図である。
【図２】本発明の第２実施形態を示す正面図である。
【図３】本発明の第３実施形態を示す正面図である。
【図４】本発明の第４実施形態を示す右側面図である。
【図５】本発明の第５実施形態を示す断面図である。
【図６】本発明の第６実施形態を示す正面図である。
【図７】本発明の第７実施形態を示す正面図である。
【図８】本発明の第８実施形態を示す正面図である。
【発明を実施するための形態】
【００１４】  以下、本発明の第１実施の形態について、図面１を参照して説明する。複数本の連結棒５で左右の側板を固定し、左右のどちらか一方の側板４にモーター１７を固定した本体１であり、左右の側板の稜角はもちろん側板の強度が保てる位置に適宜、連結棒５で固定するが、中央部にドラム２を設置する空間が必要である。本体１は金属やプラスチック等で作製するが、強度が保てれば木工材等の軽量材でもよい。側板４に固定したモーター１７で、ドラム２を回転させるが、側板４に穴をあけ、ドラム２のシャフト３とモーター１７を噛み合いクラッチとし着脱するとしてもよい。モーター１７の回転は固定回転でもよいが、回転が可変可能なモーターが望ましく、また、モーター１７の駆動用の外部電源コードは本体１に固定式か、本体１から切り離せるマグネット付きコードとしてもよく、モーター１７の回転時間設定はタイマーの使用が望ましい。さらに、モーター１７の電源が得られにくい場所にあってはソーラーパネル等の電源を使用するとしてもよい。
【００１５】  上記本体１の中央部に取り付けるドラム２は、ドラムの外周となる位置に適宜複数本の連結棒５ａで左右の側板を固定し、側板４ａの中心にモーター１７と連動して回転するシャフト３が両側板４ａを貫通して固定されるが、ドラム２内は不要であれば両側板に固定してもよく、シャフト３は本体１の両側板に固定された、上部に抜ける構造の軸受け９にセットされる。ドラム２は、金属やプラスチック等で作製するが、強度が保てれば木工材等の軽量材でもよく、また、側板４ａの中心が回転中心であり、ドラム側板の形状は円形、６角形等、形状はなんでもよく、加工が容易な形状のものを選択する事が望ましい。上記、ドラム２の連結棒５ａにネット２６の一端を巻き固定し、両側板４ａに固定された連結棒５ａにそって外周を１回転し、巻き初めのネット２６と重なる部分、例えば１０センチ程度をネット２６の先端とし、洗濯物の出し入れ位置とし、先に巻いたネット２６に、クリップ３３で固定する。また、連結棒５ａとネット２６は適宜固定する。ネットには網目の大小を含め、静電気防止、シルク、ゴム系、テフロン等多数あり、色も豊富に市販されている。ドラム２の外形はネット２６のように広い空間２７のある金属やプラスチック等の型材でもよいが、上記市販のネットで本体１を含めた全体のデザインも考慮して、選ぶことが望ましい。
また、上記回転ネット乾燥機の設置を考慮すれば、本体１の連結棒５とドラム２の連結棒５ａを同寸法の長さで増減することで、設置場所左右の長さには対応可能になる。
【００１６】  以下、上記構成の動作は、本体１から外したドラム２の外周クリップ３３を外し、ネット２６をずらして取り出し口を開放し洗濯、脱水済みの洗濯物を開放した取り出し口から投入し、ずらしたネット２６を戻しクリップ３３で固定し本体１に戻す。ドラムの回転時間は洗濯物の量や天候を考慮して決め、タイマーに回転時間をセットして、モーター１７を回し、あとはタイマーで自動的に電源が切れるが、必要に応じてドラム回転時にネット２６の外周の一部にガラス片や色付きで光る反射物を取り付けると、太陽光に反射し、回転による光の移動で乱反射し、ハトや小動物が近づきにくい。また、上記洗濯、脱水済みの洗濯物としたが、乾燥ドラム外形がネットであり、脱水が不完全な水切り状態の洗濯物もドラム内に投入できるが、ドラム下部に水受けの配慮が必要である。
【００１７】  次に、本発明の第２実施形態について、図２を参照して説明する。本体１及び、ドラム２は、前記第１実施形態と同じで、上部に抜ける構造の軸受け９に変え、本体１の両側板に、シャフト３を抜ける構造としない固定軸受け１０を固定したものであるが、側板４に穴をあけ、ドラム２のシャフト３とモーター１７の出力軸を直結としてもよい。
【００１８】  以下、上記構成の動作は、固定軸受け１０で固定したドラム２を下にし、本体１を高い位置に固定し、ドラム２の外周ネットに、敷布など縦長の物を直接固定し、モーター１７の回転で回転乾燥する。
【００１９】  次に、本発明の第３実施形態について、図３を参照して説明する。本体１及び、ドラム２は、前記第１実施形態と同じであるが、軸受けは必要とせず、ドラム２の両側面に伝達板８を固定し、伝達板の８の真下を中心として、前後に伝達板８の外周にそって各６０度程度の位置に、伝達板８を受けるドラム受けシャフト７が軸受け１０によって本体１の左右側板に固定されていて、ドラム受けシャフト７に固定した伝達部品１８が伝達板８に接する４カ所でドラム２は回転する。
【００２０】  以下、上記構成の動作は、ドラム受けシャフト７に固定した伝達部品１８と接する伝達板８の径が大きく、ドラム中心で回転するドラム２の数倍遅くなり、長時間、例えば翌朝以降も回転乾燥を続けたいなどに対応し、回転の伝達部品１８がゴムローラーであるなら回転音は静かで夜中でも回転が気にならない。
【００２１】  次に、本発明の第４実施形態について、図４を参照して説明する。モーター１７を固定し連動して回転する回転体６が取り付くモーター台１２を固定する背面板を一体とした本体１ａは、金属やプラスチック等で作製される。ドラム２ａは、前記第１実施形態のドラム２で中心のシャフト３を不要とし、側板４ａに伝達ピン２０と噛み合う穴２１を追加する。モーター台１２にシャフト３ａが回転体６に片支持で固定され、シャフト３ａの先端からドラム２ａの側板４ａの穴２１と、回転体６に固定した伝達ピン２０が噛み合い、着脱を可能とするが、着脱が容易であればピンと穴以外の方法でもよい。また、角度板１９の１枚を外し、１枚の角度板１９の位置をかえ、上、左右など、ドラム２ａの角度を変更し固定できるが、水平は角度板不要とし、モーター１７をシャフト３ａに直結しドラム２ａを回転するものとしてもよい。
【００２２】  以下、上記構成の作動は、ドラム２ａの水平着脱が容易で角隅に設置でき、ドラム外形のネットにも、洗濯物を取り付け、モーター１７の回転で回転乾燥する。
【００２３】  次に、本発明の第５実施形態について、図５を参照して説明する。ドラム２ｂは、前記第１実施形態のドラム２で内部の分割と、分割数の取り出し口を追加したものである。ドラム２ｂの内部に分割数分だけ、ドラム中心近くに新たに連結棒５ａを固定し、ドラム２外周に固定された既存の連結棒５ａとで分割用ネット２８を適宜固定し、分割空間を作り、また、洗濯物の出し入れ口も分割分だけ必要であり、固定ネット２９と、フタネット３０の組み合わせでもよいが、出し入れ口に直接的に収縮率の高い例えば、輪ゴム３１とドラム２ｂの左右側板の外周周辺に適宜固定したピン２２とで、洗濯物が落ちず、輪ゴム３１を外す事なく、輪ゴムの収縮で洗濯物を出し入れできるとする。また、輪ゴム３１を左右側板の平行に位置するピン２２としてもよいが、ずらして別のピン２２に掛けることであやとなり一部ネット状としてもよい。ピン２２は、先端にゴム３１の外れ防止用の段付きであり、ドラム２ｂの内部を２カ所以上に分割できる構造としたものである。
【００２４】  以下、上記構成の作動は、ドラム内部を複数に分割することで、小物類、厚手の物など、分類して、モーター１７の回転で回転乾燥する。
【００２５】  次に、本発明の第６実施形態について、図６を参照して説明する。着脱可能な吊り金具１３を固定した上部本体１４に、回転体を内蔵した軸受け台１１を固定し、吊りネット３２を取り付ける回転板１５を固定し一体としたシャフトを、軸受け台１１に装着し、上部本体１４に固定したモーター１７と連動して回転する乾燥機で、金属やプラスチックで作製されるが、強度が保てれば、上部本体１４や、回転板１５は木工材等の軽量材でもよい。回転板１５の外周の開閉レール２５に取り付けた吊りネット３２を乾燥ドラム外形として回転するネット乾燥機で、回転板１５に金具２４を固定し、上部本体１４下面外周にも、開閉レール２５が固定されている。また、モーター１７の取り付けで、上部本体１４より上に高さの余裕があれば、上部シャフト先端にモーター１７を直結し回転板１５を回転するとしもよく、さらに回転板外周及び上部本体外周にネットピン１６を適宜固定し吊りネットを着脱するとしてもよい。
【００２６】  以下、上記構成の作動は、屋外で物干し竿や既存の金具に吊り金具１３を固定し、回転板１５外周で吊りネット３２内の金具２４に洗濯物を取り付け、モーター１７の回転で回転乾燥するが、金具２４にはワイシャツやブラウス等、しわになりやすい衣類を不完全な水切り状態で取り付け可能とし回転乾燥できる。また、外出時天候不順の可能性があれば上部本体１４の開閉レールに少量の雨なら防げる少空間のネットで回転板１５を覆うこともできる。
【００２７】  次に、本発明の第７実施形態について、図７を参照して説明する。本体１ｂは複数本の支持体を固定した枠組み構造で、床面に設置し、型材や金属、プラスチック等で作製される。本体１ｂ下部に着脱可能とする横型として前記第１実施形態の回転ネット乾燥機を使用し、本体１ｂ上部には縦型として前記６実施形態の回転ネット乾燥機を使用する。
【００２８】  以下、上記構成の作動は、下部横型ドラムでは下着類を、上部縦型ドラムにはブラウス、ワイシャツを、それぞれ別乾燥として、一度にモーター１７で回転乾燥できる。
【００２９】  次に、本発明の第８実施形態について、図８を参照して説明する。ドラム２ａは、前記第４実施形態のドラム２ａであり、本体１ｃに固定した両側板４ｂの中にモーター１７と連動して回転する回転体６ａを固定し、ドラム２ａを支えるシャフト３ｂを回転体６ａに装着し、シャフト３ｂの先端からドラム２ａ側板４ａの穴２１が、円板２３に固定した伝達ピン２０と噛み合い、着脱可能とするが、着脱が容易であればピンと穴以外の方法でもよく、伝達ピン２０を固定した円板２３はシャフト３ｂに、モーター１７は左右どちらか一方の側板に固定される。本体１ｃ、側板４ｂ、シャフト等は金属やプラスチックで作製するが、強度が保てれば本体１ｃや側板４ｂ等は木工材等の軽量材でもよい。また、どちらか一方のシャフト３ｂの一部とドラム２ａを不要としてもよく、そのときはシャフト３ｂにモーター１７を直結し、ドラムを回転するものとしてもよい。
【００３０】  以下、上記構成の作動は、ドラム２ａ内に洗濯物を入れモーター１７の回転で回転乾燥するが、ドラム外形に直接衣類を取り付けての回転乾燥しもよい。
【符号の説明】
【００３１】  １、１ａ、１ｂ、１ｃ  本体
２、２ａ、２ｂ、ドラム
３、３ａ、３ｂ、シャフト
４、４ａ、４ｂ  側板
５、５ａ、連結棒
６、６ａ、回転体
７、  ドラム受けシャフト
８、  伝達板
９、  軸受け
１０、固定軸受け
１１、軸受け台
１２、モーター台
１３、吊り金具
１４、上部本体
１５、回転板
１６、ネットピン
１７、モーター
１８、伝達部品
１９、角度板
２０、伝達ピン
２１、穴
２２、ピン
２３、円板
２４、金具
２５、開閉レール
２６、ネット
２７、空間
２８、分割ネット
２９、固定ネット
３０、フタネット
３１、輪ゴム
３２、吊りネット
３３、クリップ
【図１】
2017153919.tif 000003
【図２】
2017153919.tif 000004
【図３】
2017153919.tif 000005
【図４】
2017153919.tif 000006
【図５】
2017153919.tif 000007
【図６】
2017153919.tif 000008
【図７】
2017153919.tif 000009
【図８】
2017153919.tif 000010